(57)【特許請求の範囲】
【請求項１】
改良されたマクストフカセグレン型の光学構造を有するカタディオプトリック式光学望遠鏡であって、
略円柱形の内部、入口端および出口端を有し、光軸に沿って細長い形状のハウジングと、
前記ハウジングの前記入口端に設けられ、前記光学構造の最も前方の光学要素であり、第１面及び第２面と、前記第２面の中央部に設けられる反射膜とを有する、球面メニスカス補正レンズと、
前記ハウジングの前記出口端に設けられ、中央絞りと、第１面及び第２面と、前記第２面に位置する反射膜とを有する、マンジャンミラーである主鏡と、
前記主鏡の前記中央絞り内に位置し、前記補正レンズ及び前記主鏡の光軸上に配置される単一のレンズからなるフィールドフラットナレンズと
を備え、
前記補正レンズと前記主鏡は、前記ハウジング内部にてそれぞれの第１面が互いに対向するように、光軸上に配置され、
前記補正レンズに入射された光線は、前記フィールドフラットナレンズに入射されるまでに、前記主鏡の第２面に位置する反射膜と、前記補正レンズの第２面の中央に設けられる反射膜とでのみ反射されることを特徴とするカタディオプトリック式光学望遠鏡。
【請求項２】
前記フィールドフラットナレンズの光軸上かつ後方に配置されるＣＭＯＳセンサを有する、請求項１に記載の望遠鏡。
【請求項３】
前記フィールドフラットナレンズの光軸上かつ後方に配置されるフィルタを有する、請求項１に記載の望遠鏡。
【請求項４】
前記ハウジング、前記補正レンズ、前記主鏡および前記反射膜は、おおよそ４００〜１０００ｎｍの波長域の電波での使用に前記望遠鏡を最適化するように選択される、請求項１に記載の望遠鏡。
【請求項５】
前記ハウジングはセラミックスにより製造され、前記レンズはセラミックスと同一の熱係数を有するガラスにより製造される、請求項１に記載の望遠鏡。
【請求項６】
前記補正レンズの第１面に近接して配置される円錐形バッフルと、
前記主鏡の第１面に近接して配置される円柱形バッフルと、
前記補正レンズの第２面に近接して配置される円柱形バッフルと、
を有する、請求項１に記載の望遠鏡。
【請求項７】
請求項１に記載の２つのカタディオプトリック式光学望遠鏡を含む宇宙飛行体内で用いられる双眼望遠鏡アレイ。
【請求項８】
２つの望遠鏡は、目標とする観察距離において同一の視野を有するように位置合わせされる、請求項７に記載の望遠鏡アレイ。
【請求項９】
２つの望遠鏡は、目標とする観察距離において異なる視野を有するように位置合わせされる、請求項７に記載の望遠鏡アレイ。
【請求項１０】
一方の望遠鏡は画像データを出力するように構成され、他方の望遠鏡は分光分析データを出力するように構成される、請求項８に記載の望遠鏡アレイ。
【請求項１１】
一方の望遠鏡は画像データを出力するように構成され、他方の望遠鏡はポラリメトリデータを出力するように構成される、請求項８に記載の望遠鏡アレイ。
【請求項１２】
２つの望遠鏡は、異なる波長域の電磁波を観察するように構成される、請求項８に記載の望遠鏡アレイ。
【発明の詳細な説明】
【技術分野】
【０００１】
発明の背景  
本発明は、望遠鏡に関し、具体的には、電磁スペクトルの可視及び近赤外領域で適用可能な光学望遠鏡に関する。更に直接的に言えば、本発明は、宇宙飛行体（例えば、人工衛星）内及びその他のリモートセンシングのアプリケーションで使用される光学望遠鏡及び光学望遠鏡アレイに関する。
【背景技術】
【０００２】
大学等では、天文、気候及び地球科学における研究のためにナノサテライトを用いている。そして、官民両目的のためのナノサテライトの使用が期待されてきた。例えば、ナノサテライトネットワークは、パイプラインの周辺にて無許可のトラックサイズの車両に乗ってくる人を検知することによって石油やガソリンの盗難を防止するためのパイプライン全長に亘る監視のために利用することができる。更に、ナノサテライトは、出入国管理（麻薬を輸送する可能性がある飛行機及びゲリラ兵の動きを監視）または環境災害の予防（例えば、保護林の広範囲に及び発生する国際的な火災）にも利用することができる。
【０００３】
ナノサテライトのような宇宙飛行体内で使用するための光学望遠鏡は厳しい条件を満たさなければならない。このような光学望遠鏡は、小さく、軽く、平衡性がよく、かつ安定的な機械性能を有する必要がある。また、このような光学望遠鏡は簡単にカスタマイズできなければならず、あるナノサテライトのアプリケーションでは広視野が要求され、またある時は高解像度の画像が要求され、さらには分光分析データまたはポラリメトリデータの取得機能が要求されたりもする。
【０００４】
そこで、本発明の目的は、望遠鏡及びアレイが小さく、軽く、平衡性が良く、安定的な機械性能を有し、かつ簡単にカスタマイズ可能な宇宙飛行体内やナノサテライトのようなリモートセンシングのアプリケーションに用いられる光学望遠鏡及び光学望遠鏡アレイを提供することにある。
【０００５】
従来のマクストフカセグレン型のカタディオプトリック式光学望遠鏡は良好な機械特性を有しており、小さく、軽く、平衡性がよく、機械性能も安定的である。しかしながら、このような望遠鏡は、４００〜１０００ｎｍの波長域（ナノサテライトのアプリケーションに要求される可視領域から近赤外線領域までの波長域）で適用する場合、非点収差、コマ収差及び有色球面収差が許容できないレベルにある。また、従来のマクストフカセグレン式光学望遠鏡をカスタマイズして、異なるナノサテライトのアプリケーションの要求を満足させることは困難である。
【発明の概要】
【０００６】
本発明は以下の２種類の方法から実現できる。その一つは、従来のマクストフカセグレン式光学望遠鏡の設計を改良し、第２の面反射を主鏡及び副点鏡（従来における第１の面反射の代わり）に用いれば、元の設計における寸法、重量、平衡性及び安定性のメリットを維持しつつ、光学収差を許容範囲内とすることができる。
【０００７】
もう一つは、そのように改良されたデザインを有する２つの望遠鏡により構成される双眼望遠鏡アレイを用いることによって、簡単かつ安価にカスタマイズを実現できる。実際には、望遠鏡の互いの向き、レンズ上のコーティング及び使用するフィルタを変更することによってカスタマイズすることができる。例えば、２つの望遠鏡を互いに平行にさせ、それらの視野を衛星からの特定の距離で一致するようにすれば高解像度の画像が得られる。また、大きい領域の画像が欲しい場合は、特定の距離での視野がオーバーラップしないように望遠鏡を正確にコントロールすれば良い。さらに、レンズ上において適切なコーティングを用い、かつ適切なフィルタを使用することによって、分光分析データとポラリメトリデータを取得でき、また、一方の望遠鏡で画像を取得し、他方の望遠鏡で所望の非画像データを取得するように配置することによって、画像データと、分光分析データまたはポラリメトリデータとの両方のデータを取得することができる。
【図面の簡単な説明】
【０００８】
本発明をより良く理解できるように、以下に図面を参照して説明するが、それらに限定されるものではない。
【図１】従来のマクストフカセグレン型のカタディオプトリック式光学望遠鏡の動作を示す図である。
【図２】本発明のカタディオプトリック式光学望遠鏡の動作を示す図である。
【図３】本発明の代表的な実施形態に基づく望遠鏡を示す図である。
【図４】本発明に基づく双眼望遠鏡アレイを示す図である。
【図５Ａ】本発明に基づく双眼望遠鏡アレイの第１実施形態の動作を示す図である。
【図５Ｂ】本発明に基づく双眼望遠鏡アレイの第１実施形態の動作を示す図である。
【発明を実施するための形態】
【０００９】
各図において、各構成要素には同一符号を付し、それに対応する構成要素にはその符号にダッシュを付して示している。また、各図は実際の寸法、割合、角度を示すものではなく、より明確にするために拡大または縮小して示し得るものである。
【００１０】
図１は、マクストフカセグレン型のカタディオプトリック式光学望遠鏡の４００〜１０００ｎｍの波長域における動作を示す図である。入射光２、４、６及び８は、望遠鏡の球面メニスカス補正レンズ１０を通過して望遠鏡の入口端２００に入る。光学ガラスにより形成される球面メニスカス補正レンズ１０は、入射光２、４、６及び８を外側へ放射状に分散させる。その後、これらの入射光は、主鏡（プライマリミラー）１２（その中心には絞り１６を有する）の球形反射面に到達して補正レンズ１０に向けて反射され、補正レンズ１０における副点鏡（セカンダリスポットミラー）１４に入射される。その後、副点鏡１４により反射された後の光線２、４、６および８は、主鏡１２の中心に位置する円形絞り１６に方向付けられる。
【００１１】
鏡１２及び１４は、鏡の第１面上に位置する反射材料の層により形成される。（光線がぶつかる最初の面から反射されるため、「第１面」の用語を用いた。）この結果、光線２、４、６および８が副点鏡１４により反射された時、これらの光線が形成する画像において、ゆがみ、非点収差、コマ収差及び有色球面収差を含む収差問題が発生する。補正レンズ１８はこれらの収差を補正し、そして光線２、４、６および８は、フィールドフラットナレンズ２０を通過して望遠鏡の出口端２１０に位置するセンサ２２（例えばＣＭＯＳセンサ）に入射される。
【００１２】
図２では、本発明のカタディオプトリック式光学望遠鏡の動作を模式的に示している。ここで、望遠鏡の入口端２００’では、球面メニスカス補正レンズ１０’が光線２、４、６および８を外側へ放射状に分散させ、光線２、４、６および８は主鏡１２’に入射される。マンジャンミラーとしての主鏡１２’は中心に円形絞り１６’を有する負メニスカスレンズである。ここで、反射光線は主鏡１２’の第２面から反射されたものであり、光線２、４、６および８は、光学ガラスにより作成される主鏡１２’の第１面を通過し主鏡１２’の第２面に到達したときだけ反射される。したがって、主鏡１２’は鏡としてだけでなく、トリプレットレンズ（２回の光偏向を行うものであり、その１回目は光線が主鏡１２’に入る時であり、２回目は光線が主鏡１２’から離れる時である）としての機能も有する。
【００１３】
主鏡１２’の第２面から反射された後の光線２、４、６および８は、補正レンズ１０’の第２面に位置する副点鏡１４’に入射される。補正レンズ１０’は球面メニスカスレンズであるので、副点鏡１４’も主鏡１２’の場合のように、レンズとしての機能を有する。
【００１４】
図１と図２を比較してわかるように、本発明の望遠鏡は、補正レンズ１０または１０’と主鏡１２または１２’との間に補正レンズを配置する必要がない。本発明の望遠鏡は、その出口端２１０’に位置するＣＭＯＳセンサ２２の前にフィールドフラットナレンズ２０を配置すればよい。
【００１５】
図３は、本発明の代表的な実施形態に基づく望遠鏡を示す図である。この実施形態においては、  
円柱形バッフル３０が、補正レンズ１０’の前に配置され、  
他の円柱形バッフル３２が、主鏡１２’の前に配置され、  
円錐形バッフル３４が、補正レンズ１０’の後に配置され、かつ  
フィルタ２４が、フィールドフラットナレンズ２０’と検出器２２との間に挿入されている。バッフル、例えばバッフル３０、３２および３４は、通常、マクストフカセグレン式光学望遠鏡に用いられる。これらのアルミ製のバッフルが迷光を遮断する。以下に記載されるように、フィルタ２４は、検出器２２により検出するデータに応じて選択される。
【００１６】
図３に示す実施形態において使用されるガラスはＮ−ＢＫ７であり、その屈折率ｎは１．５１６８である。この実施形態での焦点距離は１５００ｍｍであり、そのスピードはｆ／１０である。７００ｋｍの目標観察距離（例えば、７００ｋｍの軌道上のナノサテライトと地球上との間の距離）で、この実施形態では、直径２０ｋｍの視野を有する。
【００１７】
本発明によれば、カタディオプトリック式光学望遠鏡の双眼望遠鏡アレイが構成される。各望遠鏡は本発明に基づく望遠鏡の上述の実施形態であることが好ましい。特別な適用に対して簡単かつ安価にカスタマイズできるアレイの実施形態について、以下に説明する。
【００１８】
この実施形態によるアレイは、２つの上述した望遠鏡により構成される。望遠鏡１００および１１０は、補正レンズ１０’及び主鏡１２’におけるガラスと同一の熱係数を有するセラミックスにより製造されるハウジング１２０（図４）内に設けられる。ハウジング１２０は入口端１２０Ａ及び出口端１２０Ｂを有し、補正レンズ１０’は入口端１２０Ａに配置され、ＣＭＯＳセンサ２２は出口端１２０Ｂに配置される。
【００１９】
特別な適用として高精細なビジュアルイメージが要求される場合は、ハウジング１２０を構成するときに、望遠鏡１００および１１０の光軸を非平行状態に保持するようにすれば、望遠鏡１００及び１１０は７００ｋｍ（図５Ａ）の目標観察距離で約２０ｋｍの同一の視野を有することができる。この距離において、この実施形態によるアレイによれば、解像度が約３ｍの画像を生成することができる。また、より大きな視野が重視される場合は、ハウジング１２０’を構成するときに、望遠鏡１００および１１０の光軸を平行に保持するようにすれば、アレイは約４０ｋｍ幅（図５Ｂ）の視野を有することができる。
【００２０】
この実施形態による望遠鏡は、電磁スペクトルの波長が４００〜１０００ｎｍの可視及び近赤外線領域で動作可能である。本発明の望遠鏡及び望遠鏡アレイをカスタマイズするために、電磁スペクトルの関心領域において望遠鏡及び望遠鏡アレイの性能が最適化されるように、各レンズ上のコーティング及びフィルタ２４が選択される。好適には、レンズの透過光面にはＢＢＡＲ反射防止膜を施し、反射光面には銀の保護膜を施す。一般的なフィルタ２４は、例えば波長域４００ｎｍ〜７００ｎｍと波長域７００ｎｍ〜１０００ｎｍといったような異なる波長域にて動作する高精度のバンドパスフィルタである。さらに、本発明のアレイは、分光分析データあるいはポラリメトリデータを収集するために、一方の望遠鏡を電磁スペクトルの可視領域にて動作すべく最適化すると同時に、他方の望遠鏡を電磁スペクトルの近赤外領域にて動作すべく最適化するようにカスタマイズすることができる。好適には、一方の望遠鏡は分光分析データを収集すべく最適化し、他方の望遠鏡はポラリメトリデータを収集すべく最適化するようにカスタマイズする。このような場合、２つの望遠鏡は、通常、取得された画像データが取得された赤外線データと関連付くように、そして電磁スペクトルのある波長域で取得されたデータが他の波長域で取得されたデータと関連付くように、同一の視野を共用する。
【図１】
0006765743.tif 000002
【図２】
0006765743.tif 000003
【図３】
0006765743.tif 000004
【図４】
0006765743.tif 000005
【図５Ａ】
0006765743.tif 000006
【図５Ｂ】
0006765743.tif 000007